(57)【要約】      （修正有）【課題】サルカンの持つリング部に接続するクッション体のループ部端部の融着を剥がれにくいものにし、且つ、ループ部を強靭にすることで、釣り時の過激な魚の引きでのループ部にトラブルの無い釣り用クッション具を提供する。【解決手段】軟質伸縮性でなるポリウレタンエラストマー材のチューブ状でなるクッション体１の端部にサルカンＡの持つリング部に繋がれるループ部２形状内或いは、ループ部２のほぼ馬蹄形２ａの形状内での中空部に、芯材となるナイロンやフロロカーボン等の糸状合成繊維３を内装補強し、ループ部２の折り曲げ返し先端２ｂのクッション体１との接着を高周波溶着等での熱融着Ｂで接着する。釣り時でのクッション体１のループ部２に度重なる引きＰでの負荷で、ループ部２先端２ｂの熱融着Ｂ部の剥がれや、接点部ＰＯでの破断発生要因を、食止める。【選択図】図２
0003158205.tif 000002
【実用新案登録請求の範囲】
【請求項１】
道糸やテンビン側とハリス側との間に介在させる、釣り用クッション具において、軟質伸縮性でなるポリウレタンエラストマー材のチューブ状でなるクッション体１の端部にサルカンＡ（金属製撚り戻し具）の持っリング部に繋がれるループ部２形状内或いは、ループ部２のほぼ馬蹄形２ａの形状内での中空部に、芯材となるナイロンやフロロカーボン等の糸状合成繊維３を内装補強し、ループ部２の折り曲げ返し先端２ｂのクッション体１との接着を高周波溶着等での熱融着Ｂで接着し、釣り時でのクッション体１のループ部２に度重なる引きＰでの負荷で、ループ部２先端２ｂの熱融着Ｂ部の剥がれや、接点部ＰＯでの破断発生要因を、食止める構成にしたことを特徴とする釣り用クッション具。
【考案の詳細な説明】
【技術分野】
【０００１】この考案は、釣り竿仕掛けでの道糸側とハリス側の間に接続し、釣り時でのハリスに負荷する魚の引きや、釣り上げ時での魚の逃げ回りでの、過激な負荷とショックを緩和し魚の口切れ外れや、糸切れを有効に防止する為に使う軟質伸縮自在で中空部でなるチューブ状の釣り用クッション具の改良に関する。
【背景技術】
【０００２】此の種の従来の技術として、チューブ状のクッション体の両端部をサルカンのリング部に接続するのに、クッション体の先端をサルカンのリング部に差し込み折り曲げ返した先端をループ状に形成し、その先端をクッション体に熱溶着されて双方が接続される構成で、そのループ状に折り曲げ返したクッション体の中空部には金属製の芯材を差し込み補強することで、サルカンのリング部との接続部での強度を補強し、双方の過激な釣り時の引っ張り負荷でのループ状部の破断を防ぐ、釣り用クッション具が特許文献１に記載され開示されている。【０００３】
【特許文献１】特開２００５−５８００１号公報
【考案の開示】
【考案が解決しようとする課題】
【０００４】しかしながら、文献１に記載された釣り用クッション具は、軟質伸縮性でなるポリウレタンエラストマー材でなるチューブ状のクッション体の両端部に差し込まれる芯材は金属製丸線材が使われて構成するループ状の為、それに接続でなるサルカンのリング部との双方に釣り時で、引っ張りでの繰り返しが働く度に、伸びない金属製の芯材を覆巻する伸縮性でなるクッション体のみが単独で勝手に伸び縮みすることから、金属とポリウレタンエラストマー材との双方が融着で一体化される構成が望まれるが、これらの接合強度を得るのに難が有り、金属を内装してのリング部の補強の有効性に課題が残る。【０００５】即ち、チューブ状の中空部に差し込まれた金属材でなるループ状の芯材は引っ張り破断強度は保証されるが、金属を内装する先端の熱融着結合は、電極間に融着部を挟んで熱融着結合するこれらの器具での電極に電流を流しての、高周波溶着（電気的融着工法）ではループ状に内装する、金属の芯材が導体となり、溶着器具に電流を流した瞬間電極間がショート現象を誘発し、高周波溶着に支障をきたすという不向きから、昔ながらのヒーター熱での溶着工法に依存しなければならず、チューブ状のクッション体の重なり合う外周被覆での熱融着部が内装する金属製芯材が融けない２分割構成の為、芯材の持っ補強効果を損なう等の課題が残る。
【課題を解決するための手段】
【０００６】この考案は、かかる課題を解決する為に、請求項１での考案は、図１、図２での部分断面を示しての要部斜視図で述べるに、道糸やテンビン側とハリス側との間に介在させる釣り用クッション具において，軟質伸縮性でなるポリウレタンエラストマー材のチューブ状クッション体１の端部分にサルカンＡのリング部が繋がれるループ部２形状内或いは、ループ部２のほぼ馬蹄形２ａの形状内に、ナイロンやフロロカーボン等の糸状合性繊維３を内装補強し、ループ部２の折り曲げ返し先端２ｂ接合を高周波溶着等での効果的な熱融着Ｂを可能にし、釣り時でのクッション体１のループ部２に度重なる引きＰでの過度な負荷で、ループ部２の熱融着Ｂ部の剥がれや、接点部ＰＯでの破断発生要因を食止める構成にする。
【考案の効果】
【０００７】本考案は、上述の通り構成作用するので、次の優れた効果を奏する。
即ち、ループ部に内装する芯材が軟質伸縮性でなる合成繊維で補強され、且つこれらの合成繊維の融解温度がクッション体とほぼ同じ温度特性を持つ事で、高周波溶着での双方の溶着での一体化を効果的にし、釣り時で魚の過激な引きでの、クッション体のループ部の溶着剥がれや、双方の接続接点部近辺での破断を防ぐことの出来るチューブ状でなる、釣り用クッション具を提供出来る。
【考案を実施するための最良の形態】
【０００８】以下に図示の実施例に基づいて本考案を更に詳細に説明する。
即ち、図１と図２は本考案での実施例を示しての一部断面での要部斜視図で、チューブ状のクッション体１は様々なサイズ仕様での太さ、長さ、硬さ、などで形成され、これらの材質は釣り用クッション具に最も相応しい優れた特性の持っ材質即ち、適度な伸び率や反発弾性が有り、且つ、引っ張り強度、硬度などでのレベルの高いポリウレタンエラストマー材をクッション体１とするが、必ずしもこれらの材質を特定するものでなく、様々なサイズ仕様と釣る魚によっては、他の数多い化学繊維から選択するのも良い結果が生まれる場合も有るが、本考案での実施例は広く知られる熱可塑性ポリウレタンエラストマー材が望ましい。【０００９】これらのチューブ状の中空部を持っ所定の長さと太さでなるクッション体１は、その端部にサルカンＡの持っリング部に繋がれるが、クッション体１の端部の開口部に緩く差し込まれる比較的短い芯材は糸状合成繊維３が補強材として内装されてムク丸材形態にして、サルカンＡの持っリング部に通されて折り曲げ返しられループ部２形状に構成し、その先端２ｂがクッション体１部に高周波溶着でもって熱融着Ｂされ双方が連結されるが、内装する芯材はナイロンやフロロカーボン等の糸状合成繊維３を補強材として使う事で、熱融着Ｂの双方の溶け合って一体化し釣り時の過激な引きＰ伸びが負荷しても剥がれることの無い強靭な溶着を具現出来る。これらのループ部２形状での内装する芯材は図１でのループ部２形状全体の補強でも、或いは、図２で述べるほぼ馬蹄形２ａでの部分補強でも良く、それぞれの特性を効果的に選択の出来る釣り用クッション具として提供するものである。【００１０】このように、従来技術での内装する芯材が金属線材でなる釣り用クッション具に成し得なかった極細から極太のクッション体１のサルカンＡの持っリング部に接続するクッション体１のループ部２は芯材を伸縮自在でクッション体１の材質に類似する特性でなる糸状合成繊維３例えば、ナイロン或いは、フロロンカーボン等を使うことで、ループ部２の先端２ｂ剥がれにくい強靭な融着にし且つ、ループ部２が芯材と共に伸縮自在で強靭で破断し難い構成を具現化することで、チューブ状でなる水中での浮力のあるクッション性の優れたクッション体１を使っての釣り用クッション具の構成とする。
【図面の簡単な説明】
【００１１】
【図１】本考案に係わる第１実施例での一部断面での要部斜視図である。
【図２】本考案に係わる第１実施例で他の例を示しての一部断面での要部斜視図である。
【符合の説明】
【００１２】    １  クッション体
２  ループ部
２ａ馬蹄形
２ｂ先端
３  糸状合成繊維
【図１】
0003158205.tif 000003
【図２】
0003158205.tif 000004
【手続補正書】
【提出日】平成21年10月30日(2009.10.30)
【手続補正１】
【補正対象書類名】実用新案登録請求の範囲
【補正対象項目名】全文
【補正方法】変更
【補正の内容】
【実用新案登録請求の範囲】
【請求項１】
道糸やテンビン側とハリス側との間に介在させる、釣り用クッション具において、軟質伸縮性でなるポリウレタンエラストマー材のチューブ状でなるクッション体１の端部にサルカンＡの持っリング部に繋がれるループ部２形状内或いは、ループ部２のほぼ馬蹄形２ａの形状内での中空部に、芯材となるナイロンやフロロカーボン等の糸状合成繊維３を内装補強し、ループ部２の折り曲げ返し先端２ｂのクッション体１との接着を高周波溶着等での熱融着Ｂで接着し、釣り時でのクッション体１のループ部２に度重なる引きＰでの負荷で、ループ部２先端２ｂの熱融着Ｂ部の剥がれや、接点部ＰＯでの破断発生要因を、食止める構成にしたことを特徴とする釣り用クッション具。
【手続補正書】
【提出日】平成21年12月28日(2009.12.28)
【手続補正１】
【補正対象書類名】実用新案登録請求の範囲
【補正対象項目名】全文
【補正方法】変更
【補正の内容】
【実用新案登録請求の範囲】
【請求項１】
道糸やテンビン側とハリス側との間に介在させる、釣り用クッション具において、軟質伸縮性でなるポリウレタンエラストマー材のチューブ状でなるクッション体１の端部にサルカンＡの持つリング部に繋がれるループ部２形状内或いは、ループ部２のほぼ馬蹄形２ａの形状内での中空部に、芯材となるナイロンやフロロカーボン等の糸状合成繊維３を内装補強し、ループ部２の折り曲げ返し先端２ｂのクッション体１との接着を高周波溶着等での熱融着Ｂで接着し、釣り時でのクッション体１のループ部２に度重なる引きＰでの負荷で、ループ部２先端２ｂの熱融着Ｂ部の剥がれや、接点部ＰＯでの破断発生要因を、食止める構成にしたことを特徴とする釣り用クッション具。